(57)【特許請求の範囲】
【請求項１】
（ａ）取引きごとに、サインを記入するための署名欄を備えた未記入のサイン登録用のカードを発行する発行手段と、
（ｂ）発行され、挿入されたカードの署名欄に記入されたサインを読み取る読取手段と、
（ｃ）読み取られたサインのサインイメージを保存するサインイメージ保存手段と、
（ｄ）前記取引きにおける顧客による発行条件の入力に基づいて券類を発行する券類発行部とを有することを特徴とする自動取引装置。
【請求項２】
（ａ）発行される券類の管理番号を読み取り、認識する文字認識部を有するとともに、
（ｂ）前記サインイメージ保存手段は、前記サインイメージと管理番号とを対応させて保存する請求項１に記載の自動取引装置。
【請求項３】
前記カードが発行される前に、現金又はキャッシュカードによる決済が行われる請求項１に記載の自動取引装置。
【請求項４】
（ａ）挿入されたカードに記入されたサイン、又は挿入されたカードに形成されたエンボス文字を読み取る読取手段と、
（ｂ）読み取られたサインのサインイメージ、又はエンボス文字のエンボスイメージを保存するイメージデータ保存手段と、
（ｃ）前記サインイメージのイメージデータを処理するサイン画像処理部と、
（ｄ）前記エンボスイメージのイメージデータを処理するエンボス画像処理部と、
（ｅ）前記イメージデータがサインイメージのものであるかエンボスイメージのものであるかを判断し、前記サイン画像処理部及びエンボス画像処理部の一方を選択する選択手段と、
（ｆ）前記取引きにおける顧客による発行条件の入力に基づいて券類を発行する券類発行部とを有することを特徴とする自動取引装置。
【請求項５】
前記選択手段は、イメージメモリに格納されたイメージデータのアドレスに対応させて、前記サイン画像処理部及びエンボス画像処理部の一方を選択する請求項４に記載の自動取引装置。
【発明の詳細な説明】
【０００１】
【産業上の利用分野】
本発明は、トラベラーズチェック等の券類を発行するための自動取引装置に関するものである。
【０００２】
【従来の技術】
従来、トラベラーズチェック等の券類を発行するための自動取引装置においては、顧客がＩＤカード、キャッシュカード等のカードを挿入口に挿入し、タッチセンサに指等によってサインを書くことにより、券類が発行されるようになっている。
【０００３】
前記タッチセンサは、矩（く）形のボードの周縁に光センサを配設することによって形成され、顧客がタッチセンサに指等によってサインを書くと、サインが書かれた部分の光が遮られる。したがって、光が遮られたかどうかによって、２値のイメージデータを発生させるようになっている。
なお、自動取引装置内に配設された印刷部において、前記イメージデータに従ってジャーナル等に印刷が行われ、前記サインが記録される。
【０００４】
【発明が解決しようとする課題】
しかしながら、前記従来の自動取引装置においては、タッチセンサ上に書かれたサインと、前記カードに筆記具を使用して書かれたサインとは、カードの材質、筆記具の種類等によって見た目が異なり、ジャーナル等に印刷されたサインの価値が低くなってしまう。
【０００５】
本発明は、前記従来の自動取引装置の問題点を解決して、サインの価値を高くすることができる自動取引装置を提供することを目的とする。
【０００６】
【課題を解決するための手段】
そのために、本発明の自動取引装置においては、取引きごとに、サインを記入するための署名欄を備えた未記入のサイン登録用のカードを発行する発行手段と、発行され、挿入されたカードの署名欄に記入されたサインを読み取る読取手段と、読み取られたサインのサインイメージを保存するサインイメージ保存手段と、前記取引きにおける顧客による発行条件の入力に基づいて券類を発行する券類発行部とを有する。
【０００７】
【作用】
本発明によれば、前記のように自動取引装置においては、取引きごとに、サインを記入するための署名欄を備えた未記入のサイン登録用のカードを発行する発行手段と、発行され、挿入されたカードの署名欄に記入されたサインを読み取る読取手段と、読み取られたサインのサインイメージを保存するサインイメージ保存手段と、前記取引きにおける顧客による発行条件の入力に基づいて券類を発行する券類発行部とを有する。
【０００８】
この場合、自動取引装置にカードが挿入されると、読取手段がカードに記入されたサインを読み取る。そして、サインイメージ保存手段は、読み取られたサインのサインイメージを保存する。また、券類発行部は、顧客による発行条件の入力に基づいて券類を発行する。
【０００９】
【実施例】
以下、本発明の実施例について図面を参照しながら詳細に説明する。なお、この場合、ＩＤカードが挿入されてトラベラーズチェックを発行する自動取引装置について説明する。
図１は本発明の第１の実施例における自動取引装置のブロック図、図２は本発明の第１の実施例における自動取引装置の斜視図である。
【００１０】
図に示すように、主制御部１７には、顧客操作部１１、ＩＤカード及びサイン登録用カードを処理するカード処理部１２、紙幣の入金及び出金を管理する紙幣入出金部１３、硬貨の入金及び出金を管理する硬貨入出金部１４、サインイメージ保存手段としてのジャーナル印刷部１５、トラベラーズチェックを発行する券類発行部１６、及び記憶装置１８が接続される。前記ジャーナル印刷部１５はジャーナルに印刷を行い、サインイメージを保存する。
【００１１】
また、前記顧客操作部１１は、顧客が操作するための操作パネル、表示部等から成る。そして、７１は前記紙幣入出金部１３と対応させて形成された紙幣入出金口、７２は前記硬貨入出金部１４と対応させて形成された硬貨入出金口、７４は図示しないＩＤカードを挿入したり受け取ったりするための挿入・受取口、７５はトラベラーズチェックを受け取るための券類受取口である。
【００１２】
次に、前記券類発行部１６について説明する。
図３は本発明の第１の実施例における券類発行部の概念図である。
図に示すように、券類発行部１６は、発行したトラベラーズチェックを集積する集積部２０、トラベラーズチェックを収容するスタッカ２２、トラベラーズチェックを搬送するための第１モータ２５、該第１モータ２５を駆動することによって回転させられる２対の搬送ローラ２３、前記スタッカ２２内のトラベラーズチェックを搬送路に送る繰出ローラ２４、及び該繰出ローラ２４を回転させる第２モータ２６から成る。なお、前記搬送ローラ２３には、ベルト７６を介して第１モータ２５の回転が、繰出ローラ２４には、ベルト７７を介して第２モータ２６の回転がそれぞれ伝達される。
【００１３】
図４は本発明の第１の実施例におけるカード処理部の概念図である。
カード処理部１２は、図示しないＩＤカードに設けられた磁気ストライプのデータを読み出したり、磁気ストライプにデータを書き込んだりするカードリードライト部３０、ＩＤカードに形成されたエンボス文字又はＩＤカードの署名欄に書かれたサインを読み取る読取手段としての光学センサ３１、サイン登録用カードを収容するスタッカ３２、ＩＤカードを搬送するための３対の搬送ローラ３３、該搬送ローラ３３を回転させる第３モータ３４、前記スタッカ３２内のサイン登録用カードを搬送路に送る繰出ローラ３５、該繰出ローラ３５を回転させる第４モータ３６、及びＩＤカードを挿入したり、排出したりするためのカード挿入／排出部３７から成る。
【００１４】
なお、前記搬送ローラ３３には、ベルト７８を介して第３モータ３４の回転が、繰出ローラ３５には、ベルト７９を介して第４モータ３６の回転がそれぞれ伝達される。
次に、前記構成の自動取引装置の動作について説明する。
図５は本発明の第１の実施例における自動取引装置の動作を示すフローチャート、図６は本発明の第１の実施例におけるサインが記入される前のサイン登録用カードを示す図、図７は本発明の第１の実施例におけるサインが記入された後のサイン登録用カードを示す図である。
ステップＳ１  顧客は自動取引装置の取引科目の中から「トラベラーズチェック購入」を選択する。
ステップＳ２  挿入・受取口７４（図２）にＩＤカードを挿入する。
ステップＳ３  顧客操作部１１を操作して、あらかじめ登録してある暗証番号を入力する。
ステップＳ４  顧客操作部１１を操作して、トラベラーズチェックの購入額を入力する。
ステップＳ５  紙幣入出金口７１及び硬貨入出金口７２を使用して現金を入金する。なお、前記ＩＤカードに代えてキャッシュカードを使用する場合には、現金の入金は不要である。
ステップＳ６  ＩＤカードが返却される。
ステップＳ７  サイン登録用カードが発行される。そのために、カード処理部１２（図１）においては、第４モータ３６（図４）を駆動し、繰出ローラ３５を回転させることによって、スタッカ３２内のサイン登録用カードを１枚繰り出す。続いて、第３モータ３４を駆動し、各搬送ローラ３３を回転させることによって、前記サイン登録用カードをカードリードライト部３０に搬送する。
【００１５】
該カードリードライト部３０は、前記サイン登録用カードの磁気ストライプ８１にサイン登録用カード識別情報、顧客の口座番号等の各情報を書き込む。そして、書込みが終了すると、前記サイン登録用カードは挿入・受取口７４に搬送される。
ステップＳ８  サイン登録用カードを挿入する。すなわち、顧客は、挿入・受取口７４からサイン登録用カードを受け取ると、署名欄としての受取サイン記入欄８２に筆記具を使用してサインを記入し、挿入・受取口７４に挿入する。
ステップＳ９  第３モータ３４を駆動し、各搬送ローラ３３を回転させることによって前記サイン登録用カードを光学センサ３１に搬送する。そして、該光学センサ３１がサイン登録用カードに記入されたサインを読み取る。続いて、第３モータ３４を駆動し、各搬送ローラ３３を回転させることによって、前記サイン登録用カードをカード挿入／排出部３７に搬送し、返却する。
ステップＳ１０  サインイメージは、ジャーナル印刷部１５において媒体に印刷される。なお、ＦＤ等に記録することもできる。
ステップＳ１１  券類発行部１６はトラベラーズチェックを発行する。すなわち、第２モータ２６（図３）を駆動して繰出ローラ２４を回転させ、スタッカ２２内のトラベラーズチェックを１枚繰り出す。次に、第１モータ２５を駆動して各搬送ローラ２３を回転させ、トラベラーズチェックを集積部２０に搬送する。そして、トラベラーズチェックを購入した枚数分だけ前記動作を繰り返す。
【００１６】
このように、筆記具を使用して、サイン登録用カードにサインを記入することができるようになっているので、サインの価値を高くすることができる。
次に、本発明の第２の実施例について説明する。
図８は本発明の第２の実施例における券類発行部の概念図、図９は本発明の第２の実施例における記憶装置の格納状態を示す図、図１０は本発明の第２の実施例におけるジャーナル印刷部の印刷状態を示す図である。
【００１７】
図に示すように、券類発行部１６は、発行したトラベラーズチェックを集積する集積部２０、トラベラーズチェックの管理番号を読み取る文字認識部２１、トラベラーズチェックを収容するスタッカ２２、トラベラーズチェックを搬送するための第１モータ２５、該第１モータ２５を駆動することによって回転させられる２対の搬送ローラ２３、前記スタッカ２２内のトラベラーズチェックを搬送路に送る繰出ローラ２４、及び該繰出ローラ２４を回転させる第２モータ２６から成る。なお、前記搬送ローラ２３には、ベルト７６を介して第１モータ２５の回転が、繰出ローラ２４には、ベルト７７を介して第２モータ２６の回転がそれぞれ伝達される。
【００１８】
この場合、券類発行部１６は、第２モータ２６を駆動して繰出ローラ２４を回転させ、スタッカ２２内のトラベラーズチェックを１枚繰り出す。次に、第１モータ２５を駆動して搬送ローラ２３を回転させ、トラベラーズチェックを集積部２０に搬送する。そして、トラベラーズチェックを購入した枚数分だけ前記動作を繰り返す。
【００１９】
このとき、文字認識部２１によってトラベラーズチェックの管理番号を読み取り、認識し、前記サインイメージと共に記憶装置１８（図１）に格納する。該記憶装置１８には、図９に示すように、サインイメージと管理番号とが対応させて格納される。
また、ジャーナル印刷部１５においては、サインイメージと管理番号とが対応させて印刷される。なお、前記記憶装置１８及びジャーナル印刷部１５は、サインイメージ保存手段として構成される。
【００２０】
次に、本発明の第３の実施例について説明する。
図１１は本発明の第３の実施例におけるＩＤカードを示す図、図１２は本発明の第３の実施例における自動取引装置の動作を示すフローチャートである。
この場合、取引きに使用するＩＤカードにおいては、図１１に示すように、エンボス文字加工エリア８３と磁気ストライプ８１との間に署名欄としての受取サイン記入欄８２が形成される。また、前記磁気ストライプ８１には、エンボス文字加工エリア８３と磁気ストライプ８１との間に受取サイン記入欄８２が形成されていることを示す情報が書き込まれ、発行時にＩＤカードの所有者は、受取サイン記入欄８２にサインを記入するようになっている。
ステップＳ２１  顧客は自動取引装置の取引科目の中から「トラベラーズチェック購入」を選択する。
ステップＳ２２  挿入・受取口７４（図２）にＩＤカードを挿入する。ＩＤカードが挿入されると、カード処理部１２（図１）は、第３モータ３４（図４）を駆動して各搬送ローラ３３を回転させ、ＩＤカードをカードリードライト部３０に搬送し、該カードリードライト部３０によって磁気ストライプ８１のデータをリードする。その後、各搬送ローラ３３を回転させ、ＩＤカードを光学センサ３１に搬送し、該光学センサ３１によってサインを読み取り、イメージデータを記憶装置１８及びジャーナル印刷部１５に転送する。
ステップＳ２３  顧客操作部１１を操作して、あらかじめ登録してある暗証番号を入力する。
ステップＳ２４  顧客操作部１１を操作して、トラベラーズチェックの購入額を入力する。
ステップＳ２５  紙幣入出金口７１及び硬貨入出金口７２を使用して現金を入金する。なお、前記ＩＤカードに代えてキャッシュカードを使用する場合には、現金の入金は不要である。
ステップＳ２６  ＩＤカードが返却される。
ステップＳ２７  サインイメージは、サインイメージ保存手段としてのジャーナル印刷部１５において媒体に印刷される。なお、ＦＤ等に記録することもできる。
ステップＳ２８  券類発行部１６はトラベラーズチェックを発行する。すなわち、第２モータ２６（図３）を駆動して繰出ローラ２４を回転させ、スタッカ２２内のトラベラーズチェックを１枚繰り出す。次に、第１モータ２５を駆動して各搬送ローラ２３を回転させ、トラベラーズチェックを集積部２０に搬送する。そして、トラベラーズチェックを購入した枚数分だけ前記動作を繰り返す。
【００２１】
このように、取引きにはＩＤカードだけが必要になるとともに、あらかじめＩＤカードに記入されたサインが使用されるので、あらためてサインを記入する必要がない。したがって、顧客による操作が少なくなり、取引時間を短縮することができる。
次に、本発明の第４の実施例について説明する。
【００２２】
図１３は本発明の第４の実施例におけるカード処理部の要部ブロック図である。
図に示すように、光学センサ３１によってエンボス文字又はサインが読み取られると、光学センサ３１のセンサ出力はＡ／Ｄ変換器４１に送られ、アナログ／ディジタル変換されてイメージデータになり、該イメージデータはイメージデータメモリ４２に格納される。
【００２３】
ところで、本実施例においては、ＩＤカードとして、エンボス文字が形成されたエンボス文字カードとサインが記入されたサインカードとが使用され、エンボス文字カードが使用されたときと、サインカードが使用されたときとでは、画像データ処理が異なるようになっている。そのために、画像データ処理を切り替えるセレクタ４３、エンボス文字画像処理部４４、サイン画像処理部４５及び選択手段としての制御部４６が配設され、該制御部４６は、イメージデータがエンボス文字イメージのものであるか、サインイメージのものであるかを判断する。
【００２４】
そして、挿入・受取口７４（図２）にＩＤカードが挿入されると、カード処理部１２（図１）は、第３モータ３４（図４）を駆動して各搬送ローラ３３を回転させ、ＩＤカードを光学センサ３１に搬送し、該光学センサ３１によってエンボス文字又はサインを読み取る。
このとき、光学センサ３１のセンサ出力はＡ／Ｄ変換器４１に送られ、アナログ／ディジタル変換されてイメージデータになり、該イメージデータはイメージデータメモリ４２に格納される。
【００２５】
そして、前記制御部４６が、前記イメージデータがエンボス文字イメージのものであると判断すると、セレクタ４３はイメージデータをエンボス文字画像処理部４４に送り、該エンボス文字画像処理部４４において誤差拡散法による２値化処理が行われる。
この場合、ＩＤカードに地模様等が印刷されていると、エンボス文字画像処理部４４において誤差拡散法による２値化処理が行われるので、エンボス文字以外の画像を容易に読み取ることができる。
【００２６】
一方、前記制御部４６が、イメージデータがサインイメージのものであると判断すると、セレクタ４３はイメージデータをサイン画像処理部４５に送り、該サイン画像処理部４５において単純２値化処理が行われる。
このように、エンボス文字及びサインの異なる２つの画像のいずれかを読み取り、各画像に適した画像処理を行うことができる。
【００２７】
次に、本発明の第５の実施例について説明する。
図１４は本発明の第５の実施例におけるカード処理部の要部ブロック図である。
図に示すように、光学センサ３１によってエンボス文字及びサインが読み取られると、光学センサ３１のセンサ出力はＡ／Ｄ変換器５１に送られ、アナログ／ディジタル変換されてイメージデータになり、該イメージデータはイメージデータメモリ５２に格納される。
【００２８】
ところで、本実施例においては、イメージデータがエンボス文字イメージのものであるときと、サインイメージのものであるときとでは、画像データ処理が異なるようになっている。そのために、画像データ処理を切り替えるセレクタ５３、エンボス文字画像処理部５４、サイン画像処理部５５及び選択手段としての制御部５６が配設される。
【００２９】
また、記憶装置１８には、前記イメージデータメモリ５２に格納されたイメージデータのうち、エンボス文字イメージのもののアドレスＡ１〜Ａ２、及びサインイメージのもののアドレスＡ３〜Ａ４が格納されている。
したがって、制御部５６は、イメージデータがエンボス文字イメージのものであるか、サインイメージのものであるかを判断する必要はなく、イメージデータメモリ５２のアドレスを読み取るだけで、セレクタ５３を切り替えることができる。
【００３０】
したがって、制御部５６における処理を簡素化することができる。
なお、本発明は前記実施例に限定されるものではなく、本発明の趣旨に基づいて種々変形させることが可能であり、これらを本発明の範囲から排除するものではない。
【００３１】
【発明の効果】
以上詳細に説明したように、本発明によれば、自動取引装置においては、取引きごとに、サインを記入するための署名欄を備えた未記入のサイン登録用のカードを発行する発行手段と、発行され、挿入されたカードの署名欄に記入されたサインを読み取る読取手段と、読み取られたサインのサインイメージを保存するサインイメージ保存手段と、前記取引きにおける顧客による発行条件の入力に基づいて券類を発行する券類発行部とを有する。
【００３２】
この場合、自動取引装置にカードが挿入されると、読取手段がカードに記入されたサインを読み取る。
したがって、読み取られたサインは、実際にカードに記入されたものであるので、サインの価値を高くすることができる。
【図面の簡単な説明】
【図１】本発明の第１の実施例における自動取引装置のブロック図である。
【図２】本発明の第１の実施例における自動取引装置の斜視図である。
【図３】本発明の第１の実施例における券類発行部の概念図である。
【図４】本発明の第１の実施例におけるカード処理部の概念図である。
【図５】本発明の第１の実施例における自動取引装置の動作を示すフローチャートである。
【図６】本発明の第１の実施例におけるサインが記入される前のサイン登録用カードを示す図である。
【図７】本発明の第１の実施例におけるサインが記入された後のサイン登録用カードを示す図である。
【図８】本発明の第２の実施例における券類発行部の概念図である。
【図９】本発明の第２の実施例における記憶装置の格納状態を示す図である。
【図１０】本発明の第２の実施例におけるジャーナル印刷部の印刷状態を示す図である。
【図１１】本発明の第３の実施例におけるＩＤカードを示す図である。
【図１２】本発明の第３の実施例における自動取引装置の動作を示すフローチャートである。
【図１３】本発明の第４の実施例におけるカード処理部の要部ブロック図である。
【図１４】本発明の第５の実施例におけるカード処理部の要部ブロック図である。
【符号の説明】
１５    ジャーナル印刷部
１６    券類発行部
１８    記憶装置
２１    文字認識部
３１    光学センサ
４４、５４    エンボス文字画像処理部
４５、５５    サイン画像処理部
４６、５６    制御部
８２    受取サイン記入欄
【図１】
0003761607.tif 000002
【図２】
0003761607.tif 000003
【図３】
0003761607.tif 000004
【図４】
0003761607.tif 000005
【図５】
0003761607.tif 000006
【図６】
0003761607.tif 000007
【図７】
0003761607.tif 000008
【図８】
0003761607.tif 000009
【図９】
0003761607.tif 000010
【図１０】
0003761607.tif 000011
【図１１】
0003761607.tif 000012
【図１２】
0003761607.tif 000013
【図１３】
0003761607.tif 000014
【図１４】
0003761607.tif 000015